(57)【特許請求の範囲】
【請求項１】
係合用の凹部（３）を設けた軸（ａ）先端の周囲に係止用の鍔部（４）を形成した突起（５）を、Ｃ型材の一端を開放して形成したホルダー（１０）の開口（７）から挿入し、挿入した突起（５）の軸をホルダー（１０）の溝（８）に沿ってスライドさせて、前記溝（８）と対向するホルダー（１０）の内側に設けた係止用の突部（９）を前記突起（５）の凹部（３）に嵌合させるようにした係止構造において、上記突起（５）の鍔部（４）に、周方向に開口したＵ字形で、かつ、Ｕ字の左右がテーパーに形成された第２の凹部（１１）を設け、その凹部（１１）と嵌合する左右をテーパーに形成した第２の突部（１５）を上記ホルダー（１０）の係止用の突部（９）の下方に設けた係止構造。
【請求項２】
上記ホルダー（１０）の開口（７）側から、上記ホルダー（１０）の突部（９）と第２の突部（１５）の間を通るように設けられた第１のＵ字型の切欠（１６）と、その第１のＵ字型の切欠（１６）の外側に設けられ、上記第２の突部（１５）の外側を通るように形成された第２のＵ字型の切欠（１７）を設けた請求項１に記載の係止構造。
【請求項３】
上記突起（５）の鍔部の第２の凹部（１１）部分を除く周部分に段差（１２）を形成し、その段差（１２）と第２の凹部（１１）部分をテーパー（１３）を設けて接続した請求項１または２に記載の係止構造。
【請求項４】
上記突起（５）の凹部（３）の第２の凹部（１１）と反対側の位置に、凹部（３）の中心に向けた突出部（１４）を設けた請求項１乃至３のいずれか一つに記載の係止構造。
【請求項５】
上記ホルダー（１０）の溝（８）の内側の両側に沿ってリブ（１８）を形成した請求項１乃至４のいずれか一つに記載の係止構造。
【請求項６】
上記請求項１、３、４のいずれか一つの突起（５）を携帯機器に設け、上記請求項１、２、５のいずれか一つのホルダー（１０）をベルトクリップの一方のクリップに形成した携帯機器の取り付け装置。
【発明の詳細な説明】
【０００１】
【発明の属する技術分野】
この発明は、例えば、携帯電話やトランシーバーなどの携帯機器をワンタッチで着脱できる係止構造及びその係止構造を用いた携帯機器の取り付け装置に関するものである。
【０００２】
【従来の技術】
携帯電話やトランシーバーなどの携帯機器を、例えばベルトなどを介して身体に装着する方法として、「特開平８−４６５４３号」公報に記載された取り付け装置がある。
【０００３】
この取り付け装置は、図９に示すように、ベルトクリップ１と携帯電話などの携帯機器Ｔに着脱自在に取り付けられる突起部２とからなり、突起部２は、係合用の凹部３を設けた軸ａの先端の周囲に係止用の鍔部４を形成した突起５を、Ｃ型材の一端を開放して形成したホルダー６の開口７から挿入し、挿入した突起５の軸をホルダー６の溝８に沿ってスライドさせて、前記溝８と対向するホルダー６の内側に設けた係止用の突部９を前記突起５の凹部３に嵌合するようにしたものである。
【０００４】
そのため、このようにホルダー６の突部９に取り付けられた突起部２は回動自在に支持されることになり、この突起部２に取り付けた携帯機器Ｔが、腰を掛けた際などに左右に回動して邪魔にならないようにできるというものである。
【０００５】
また、突起部２は、携帯機器Ｔを押し下げるだけで内側に曲がったフランジ縁と固定突起で支持するように構成されており、携帯機器Ｔを引き上げれば簡単に取り外すことができるようになっている。
【０００６】
【発明が解決しようとする課題】
しかしながら、上記の取り付け装置では、ホルダーに取り付けた突起部が左右に回動し、突起部に取り付けた携帯機器が腰を掛けた際などに邪魔にならないようにできるというものであるが、逆に、歩く際にはブラブラとして邪魔になり、固定されていた方がよいという問題がある。
【０００７】
また、上記の取り付け装置では、ホルダーに取り付けた突起部は、携帯機器を外してもホルダーから取り外せない構造となっており、邪魔になるという問題もある。
【０００８】
そこで、この発明の課題は、まず、簡単に固定ができるようにすること、次に、その固定を必要なときに簡単に解除できるようにすること、さらに、取り外しも簡単にできるようにすることである。
【０００９】
【課題を解決するための手段】
上記の課題を解決するため、この発明では、係合用の凹部を設けた軸先端の周囲に係止用の鍔部を形成した突起を、Ｃ型材の一端を開放して形成したホルダーの開口から挿入し、挿入した突起の軸をホルダーの溝に沿ってスライドさせて、前記溝と対向するホルダーの内側に設けた係止用の突部を前記突起の凹部に嵌合させるようにした係止構造において、上記突起の鍔部に第２の凹部を設け、その凹部と嵌合する第２の突部を上記ホルダーの係止用の突部の下方に設けた構成を採用したのである。
【００１０】
このような構成を採用したことにより、ホルダーに挿入した突起をスライドさせて係止用の突部に嵌合させると、突起の鍔部に形成した第２の凹部がホルダーの係止用の突部の下方に設けた第２の突部に嵌合し、回動を止めることができる。
【００１１】
このとき、上記ホルダーの開口側から、上記ホルダーの突部と第２の突部の間を通るように設けられた第１のＵ字型の切欠と、その第１のＵ字型の切欠の外側に設けられ、上記第２の突部の外側を通るように形成された第２のＵ字型の切欠を設けた構成を採用すれば、Ｕ字状の切欠が撓んでバネとして作用するので、突起のホルダーへの着脱が容易にできる。
【００１２】
また、このとき、上記突起の鍔部の第２の凹部部分を除く周部分に段差を形成し、その段差と第２の凹部部分をテーパーを設けて接続した構成を採用すれば、テーパーにより第２の凹部と第２の突部の脱着が容易に解除できるので、例えば腰を掛けた際など、大きな力が加わると、第２の凹部と第２の突部の係合が解除されるので、邪魔にならないようにできる。
【００１３】
また、上記突起の凹部の第２の凹部と反対側の位置に、凹部の中心に向けた突出部を設けた構成を採用すれば、ホルダーに係合させた状態で突起を回動させると、突起の突出部がホルダーの係止用の突部に当接して突起を押し上げて突起の解除が容易にできる。
【００１４】
また、上記ホルダーの溝の内側の両側に沿ってリブを形成した構成を採用すれば、リブが突起を支持するので（線接触）、突起のスライドや回動がスムースに行える。
【００１５】
このとき、上記突起を携帯機器に設け、上記ホルダーをベルトクリップの一方のクリップに形成した構成を採用することができる。
【００１６】
このような構成を採用することにより、例えば、携帯電話やトランシーバーのアンテナが常に上を向くようにできるので、左右の重みのバランスが悪い携帯電話やトランシーバーなどの携帯機器や、マイク使用時に引っ張る力が加わった際にもアンテナが傾くことがないようにできる。
【００１７】
【発明の実施の形態】
以下、この発明の実施の形態を図面に基づいて説明する。
【００１８】
この形態は、図１に示すように、本願の係止構造を携帯機器（トランシーバー）Ｔとベルトクリップ１に適用したものである。
【００１９】
係止構造は、図２（ａ）、（ｂ）に示すように、トランシーバーＴに設けた突起部２と、図３（ａ）、（ｂ）に示すように、ベルトクリップ１に設けたホルダー部１０とで構成されている。
【００２０】
前記突起部２は、係合用の凹部３を設けた軸ａの先端の周囲に係止用の鍔部４を形成し、その鍔部４に第２の凹部１１を設けたもので、前記第２の凹部１１は、Ｕ字型のなだらかなテーパー状に形成してある。また、前記鍔部４の第２の凹部１１の部分を除く外周部分に前記凹部１１と同じ段差１２を設けて、その段差１２と第２の凹部部分１１をテーパー１３を設けて接続してある。さらに、前記軸ａの先端の凹部３には、凹部３の中心に向けた突出部１４（両サイドはテーパーにしてある）を前記第２の凹部１１と反対側の位置に設けてある。
【００２１】
この突起部２は、この形態の場合、図２（ｂ）に示すように、ネジ止めによりトランシーバーＴに取り付けられている。
【００２２】
一方、ホルダー部１０は、図３（ａ）、（ｂ）に示すように、バネで付勢した樹脂製のベルトクリップ１の一方のクリップを利用してＣ型材を形成したもので、形成したＣ型様材の一端を開放して前記突起５を挿入する開口７を設け、その開口７から挿入した突起５を溝８に沿ってスライドさせるようになっている。また、前記溝８と対向するホルダー部１０の内側に係止用の突部９が設けてあり、前記突部９は、挿入された前記突起５の凹部３に嵌合するようになっている。このとき、前記突部９の上方を図３（ｂ）に示すようにテーパー状に形成することにより、突起５の凹部３を嵌入し易く、抜け難くしている。また、前記突部９の下方には第２の突部１５が設けられており、この第２の突部１５は、挿入された前記突起５の第２の凹部１１と嵌合する位置に設けられている。また、このとき、前記第２の突部１５は左右にテーパーを設けて後述するように第２の凹部１１との脱着が容易にできるように構成してある。
【００２３】
さらに、前記ホルダー部１０には、ホルダー部１０の開口７側から、突部９と第２の突部１５の間を通るように設けられた第１のＵ字型の切欠１６と、その第１のＵ字型の切欠１６の外側に設けられ、第２の突部１５の外側を通るように形成された第２のＵ字型の切欠１７が設けてある。そして、このような舌片状の切欠１６、１７を設けることにより、弾性を呈するようにしてある。
【００２４】
また、ホルダー部１０の溝８の内側の両側には、溝８に沿ってリブ１８を形成してある。このリブ１８は、挿入された突起５を線接触により支持するために設けたもので、リブ１８によって支持された突起５のスライドや回転がスムースに行えるようにしてある。
【００２５】
この形態は、上記のように構成されており、ベルトクリップ１は、図１に示すように、ホルダー部１０を外側にしてベルトＢに挟み取り付ける。ベルトＢに取り付けたホルダー部１０の開口７からトランシーバーＴの突起５を、図４（ａ）に示すように挿入する。このとき、トランシーバーＴは、図４（ａ）のように垂直にする必要はない。これは、突起５の先端を鍔４として円盤状にしたことにより、トランシーバーＴの向きに関係なく挿入できるようにしたためである。
【００２６】
そして、突起５をホルダー部１０の溝８に沿ってスライドさせて（リブにより簡単にスライドできる）、スライドさせた鍔４がホルダー部１０の突部９に当接して突部９が押されると、図４（ｂ）のように、突部９はＵ字型に形成した第１の切欠１６により撓み、撓んだ突部９が、図５（ａ）、（ｂ）に示すように、突起５の凹部３に嵌る。
【００２７】
このように、第１の切欠１６を設けたことにより、突起５を強い力で圧接しなくても適宜な力で嵌めることができるようになっている。また、このとき、突起５に嵌った突部９は一方のみをテーパー状にしたことにより嵌り易く、抜け難くなっており容易に外れないようになっている。
【００２８】
このようにして突起５が突部９に嵌ると、突起５は回動自在に支持されるので、例えば、トランシーバーＴが図４（ａ）のように垂直でない場合でも、回転させて垂直にすることができる。また、このようにトランシーバーＴを垂直にすると、突起５の第２の凹部１１が、図５（ｃ）に示すように、ホルダー部１０の第２の突部１５に嵌る。このとき、突起５の周に段差１２を設け、テーパー１３により第２の凹部１１と接続してあり、さらに、ホルダー部１０に形成した第２の切欠１７により、第２の突部１５が撓むため、突起５の第２の凹部１１はホルダー部１０の第２の突部１５に簡単に嵌まる。
【００２９】
こうして係合した第２の凹部１１と第２の突部１５により、トランシーバーＴは、歩く際などには係止された状態を保持することができるので、邪魔にならずに取扱易くなっている。
【００３０】
一方、腰を掛けた際など、トランシーバーＴに不要な力が加わると、第２の凹部１１をＵ字型のテーパーに形成したことにより、左右をテーパーに形成した第２の突部１５との係合が容易に外れるので、トランシーバーＴは、突起５によりホルダー部１０の突部９によってのみ支持されるようになるため、自由に回動して邪魔ならないようになる。また、再度、トランシーバーＴを止めたい場合には、トランシーバーＴを垂直にすればよい。このように、トランシーバーＴを止めたり、回動自在にすることがワンタッチで簡単にできる。
【００３１】
このため、例えば、左右の重みのバランスが悪いトランシーバーＴや、トランシーバーＴにマイクを接続して引っ張る力が加わった場合でもアンテナが傾かないようにして、必要なときにアンテナが常に上を向くようにできるため、操作性の向上が図れる。
【００３２】
次に、トランシーバーＴをベルトクリップ１から取り外すことも簡単にできる。この場合は、図６（ａ）に示すように、トランシーバーＴを回転させると、先にも述べたとおり、突起５の第２の凹部１１とホルダー部１０の第２の突部１５との係合が図６（ｂ）のように解除される。この状態で、トランシーバーＴを図７（ａ）のように回転させると、図７（ｂ）、（ｃ）に示すように、突起５の第２の凹部１１から外れたホルダー部１０の第２の突部１５は、テーパー１３で接続された段差１２に位置して邪魔しなくなる。そのため、図８（ａ）のように、トランシーバーＴを１８０°回転させると、突起５の凹部３に設けた突出部１４が、ホルダー部１０の突部９に当接し、突部９が撓んで前記突出部１４を図８（ｂ）の矢印のように押し上げる。そのため、トランシーバーＴが押し上げられ、突起５とホルダー部１０の突部９との係合が外れる。
【００３３】
このように、トランシーバーＴを１８０°回転させるだけで外すことができるので、余分な力で無理に外す必要がなくベルトクリップ１や突起５を壊すことがない。
【００３４】
また、トランシーバーＴを外すと、突起部２がベルトクリップ１に残らないので邪魔にならない。
【００３５】
なお、実施形態では、本願の係止構造をトランシーバーＴとベルトクリップ１に適用した例を示したが、これに限定されるものではなく、携帯電話やその他携帯機器に用いることができるものである。
【００３６】
また、実施形態では、突起部２を直接トランシーバーＴにネジ止めするようにしたが、突起部２は、従来例のようなものでも構わない。
【００３７】
【発明の効果】
この発明は、上記のように構成したことにより、係止構造が簡単に回動しないようにできる。また、携帯機器の脱着も容易にできる。
【図面の簡単な説明】
【図１】実施形態の斜視図
【図２】（ａ）突起部の正面図
（ｂ）（ａ）のＡ−Ａ断面図
【図３】（ａ）ホルダー部の正面図
（ｂ）（ａ）のＢ−Ｂ断面図
【図４】（ａ）実施形態の作用説明図
（ｂ）（ａ）のＣ−Ｃ断面図
【図５】（ａ）実施形態の作用説明図
（ｂ）（ａ）のＤ−Ｄ断面図
（ｃ）（ａ）のＥ−Ｅ断面図
【図６】（ａ）実施形態の作用説明図
（ｂ）（ａ）のＦ−Ｆ断面図
【図７】（ａ）実施形態の作用説明図
（ｂ）（ａ）のＧ−Ｇ断面図
（ｃ）（ａ）のＨ−Ｈ断面図
【図８】（ａ）実施形態の作用説明図
（ｂ）（ａ）のＩ−Ｉ断面図
【図９】従来例の斜視図
【符号の説明】
１  ベルトクリップ
２  突起部
３  凹部
４  鍔部
５  突起
７  開口
８  溝
９  突部
１０  ホルダー部
１１  第２の凹部
１２  段差
１３  テーパー
１４  突出部
１５  第２の突部
１６  第１の切欠
１７  第２の切欠
１８  リブ
ａ  軸
【図１】
0003787513.tif 000002
【図２】
0003787513.tif 000003
【図３】
0003787513.tif 000004
【図４】
0003787513.tif 000005
【図５】
0003787513.tif 000006
【図６】
0003787513.tif 000007
【図７】
0003787513.tif 000008
【図８】
0003787513.tif 000009
【図９】
0003787513.tif 000010